(57)【要約】【課題】地下水位のレベル変動に対応できる、コンクリート製ボックスの水抜き孔の止水弁装置を提供する。【解決手段】地中に埋設される箱形のハンドホール１２の底部２０に設けられる水抜き孔１３に装着される止水弁装置１１であって、該止水弁装置１１は、ハンドホール１２内の水を地下に排出するとともに地下水のハンドホール１２内部への浸入を阻止する弁体１７を有してなる。【選択図】図１
2010248775.tif 000002
【特許請求の範囲】
【請求項１】
地中に埋設される箱形のハンドホールの底部に設けられる水抜き孔に装着される止水弁装置であって、
該止水弁装置は、前記ハンドホール内の水を地下に排出するとともに地下水のハンドホール内部への浸入を阻止する弁体を有してなること
を特徴とするハンドホールの水抜き孔の止水弁装置。
【請求項２】
止水弁装置は、
水抜き孔の周壁に沿って装着される環状のリングと、
該リングから上方に向けて周方向に適宜間隔毎に設けられる柱状部と、
該柱状部の上部に間隔をおいて内側に張り出して延設されたフランジ部とでなる本体部と、
前記本体部の上に載置され複数の集水用のスリット部を有する集水筒とで構成され、
前記本体部における柱状部の上端と前記フランジ部との間の内部空間に遊動自在に配設されるとともに前記柱状部の上端に載置された時はその柱状部の間隙から地下に排水され前記フランジ部に地下水によって密着された時には止水する弁体を有すること
を特徴とする請求項１に記載のハンドホールの水抜き孔の止水弁装置。
【請求項３】
フランジ部は、上方向に沿って縮径するようテーパー状に形成され、
弁体の外周縁は、面取り加工が施されていること
を特徴とする請求項１又は２に記載のハンドホールの水抜き孔の止水弁装置。
【請求項４】
柱状部の外側面には、水抜き孔に螺合する螺旋溝が刻設されていること
を特徴とする請求項１乃至３のいずれかに記載のハンドホールの水抜き孔の止水弁装置。
【発明の詳細な説明】
【技術分野】
【０００１】
本発明は、ハンドホールの底部に設けられる、水抜き孔の止水弁装置に関するものであり、更に詳しくは、雨水等の水抜きが可能であると共に、地下水位が高い時には水抜き孔からの水の浸入を防止できる、ハンドホールの水抜き孔の止水弁装置に関するものである。
【背景技術】
【０００２】
従来、この種のハンドホールとしては、図１４に示す構成のものが知られている。このハンドホール１は、箱形のコンクリート製であって、上部には作業時に進入するための進入口２を有し、底部３には円形の凹部４が形成されている。この凹部４の中央部には、貫通孔６ａが形成されており、この貫通孔６ａの内部に筒状の継手５が装着されて、排水口６が構成される（特許文献１参照）。
【０００３】
このような構成のハンドホール１を地中に設置した時は、地下水位が底部３よりも低い場合に排水が可能であり、ハンドホール１内の雨水等が排水口６を流れて外部に排出される。
【０００４】
また、地下水位が底部３よりも高くなる場所では、図１５に示すように、底部３の下側から継手５に盲栓７を嵌入して排水口６を塞ぎ、ハンドホール１を地中に設置することで、排水口６から内部への水の浸入を防いでいる。
【先行技術文献】
【特許文献】
【０００５】
【特許文献１】特許第３３７５５９６号公報
【発明の概要】
【発明が解決しようとする課題】
【０００６】
この従来例のハンドホール１においては、排水口６を塞いでいったん地中に設置したハンドホール１を、再び掘り出して盲栓７を取り外すことは実質的に困難である。従って、底部３よりも上位の地下水位がそれよりも下降した時は、排水口６から雨水等を外部に排出できないこととなる。つまり、ハンドホール１は、季節的要因等による地下水位のレベル変動に対応できないという欠点を有している。
【０００７】
従って、従来例におけるハンドホール１においては、排水口６を地下水位のレベル変動に対応できるようにすることに解決しなければならない課題を有している。
【課題を解決するための手段】
【０００８】
前記従来例の課題を解決するための本発明の要旨は、地中に埋設される箱形のハンドホールの底部に設けられる水抜き孔に装着される止水弁装置であって、該止水弁装置は、前記ハンドホール内の水を地下に排出するとともに地下水のハンドホール内部への浸入を阻止する弁体を有してなることである。
【０００９】
前記止水弁装置は、水抜き孔の周壁に沿って装着される環状のリングと、該リングから上方に向けて周方向に適宜間隔毎に設けられる柱状部と、該柱状部の上部に間隔をおいて内側に張り出して延設されたフランジ部とでなる本体部と、前記本体部の上に載置され複数の集水用のスリット部を有する集水筒とで構成され、前記本体部における柱状部の上端と前記フランジ部との間の内部空間に遊動自在に配設されるとともに前記柱状部の上端に載置された時はその柱状部の間隙から地下に排水され前記フランジ部に地下水によって密着された時には止水する弁体を有すること、；
前記フランジ部は、上方向に沿って縮径するようテーパー状に形成され、弁体の外周縁は、面取り加工が施されていること、；
前記柱状部の外側面には、水抜き孔に螺合する螺旋溝が刻設されていること、；
を含むものである。
【発明の効果】
【００１０】
本発明に係るハンドホールの水抜き孔の止水弁装置によれば、地下水位が底部よりも上昇して水が水抜き孔から浸入した時には、水の浮力で弁体が浮上して段部と密接する。段部は止水パッキンでシールされるので、水抜き孔から内部へ水が浸入しない。
また、地下水位が底部よりも下降した時には、弁体が下がって柱状部に載置されるので、内部の雨水等は水抜き孔から外部に排出可能になる。
このように止水弁装置は、地下水位のレベル変動に確実に対応できるという優れた効果を奏する。
弁体は、円盤状又は球状であることによって、水に浮遊し易く、フランジ部に密接し易いという優れた効果を奏する。
【００１１】
また、フランジ部は、上方向に沿って縮径するようテーパー状に形成され、前記弁体の外周縁は、面取り加工が施されていることによって、ゴミ等が弁体及びその近傍に引っ掛かりにくいという優れた効果を奏する。
【００１２】
そして、柱状部の外側面には、水抜き孔に螺合する螺旋溝が刻設されていることによって、本体部が水抜き孔の周壁にしっかりと螺着されるので、水抜き孔から水が浸入してもその浮力で止水弁装置が浮き上がったりしないという優れた効果を奏する。
【図面の簡単な説明】
【００１３】
【図１】本発明の１実施例に係る止水弁装置１１の斜視図である。
【図２】本発明の１実施例に係る止水弁装置１１が、水抜き孔１３に設けられた状態を示す正面図である。
【図３】本発明の１実施例に係る止水弁装置１１が、水抜き孔１３に設けられた状態を示す正面図である。
【図４】図２のＡ−Ａ線断面図である。
【図５】図２のＢ−Ｂ線断面図である。
【図６】図３のＣ−Ｃ線断面図である。
【図７】ハンドホール１２の構造を示す縦断面図である。
【図８】図７の水抜き孔１３の構造を示す要部を拡大した縦断面図である。
【図９】本発明の２実施例に係る止水弁装置３１が、水抜き孔１３に設けられた状態を示す正面図である。
【図１０】本発明の３実施例に係る止水弁装置４１が、水抜き孔１３に設けられた状態を示す正面図である。
【図１１】本発明の３実施例に係る止水弁装置４１が、水抜き孔１３に設けられた状態を示す正面図である。
【図１２】集水部４４の平面図である。
【図１３】本体部６１の一部を破断した状態の斜視図である。
【図１４】従来例に係るハンドホール１の構造を示す縦断面図である。
【図１５】図１４の排水口６の構造を示す要部を拡大した縦断面図である。
【発明を実施するための形態】
【００１４】
地中に設置したハンドホールの底部よりも地下水位が下降した時には内部の雨水等を水抜き孔から排出可能にして、地下水位が底部よりも上昇した時には水抜き孔からの水の浸入を防ぐという目的を、水抜き孔に止水弁装置を設けることにより実現した。
【実施例１】
【００１５】
次に、本発明の実施の形態について図面を参照しながら説明する。まず、図１から図３において、符号１１は第１実施例の止水弁装置を示し、この止水弁装置１１は、ハンドホール１２の水抜き孔１３の周壁１３ａに沿って装着する本体部１４と、本体部１４の上部に設けられる集水筒１６とを、合成樹脂材で形成すると共に、本体部１４の内部に弁体１７を配設して構成される。
【００１６】
ハンドホール１２は、図７及び図８に示すように、コンクリートで箱形に形成されており、上部には作業時に進入するための進入口１８を有し、側面には肉薄のノックアウト部１９が設けられている。また、底部２０には、円形の凹部２０ａが形成されており、凹部２０ａの中央には雨水等を排水するための水抜き孔１３が形成されている。
【００１７】
本体部１４は、水抜き孔１３の周壁１３ａに沿って装着される環状のリング１４ａと、このリング１４ａから上方に向けて周方向に適宜間隔毎に設けられる柱状部２２と、この柱状部２２の上部に間隔をおいて内側に張り出して延設されたフランジ部１５とからなる（図１から図３、及び図６参照）。柱状部２２同士の間には所定幅の隙間部２１を有し、雨水等はこの隙間部２１を通ってリング１４ａの中に流れて下部に排出される。
【００１８】
なお、本体部１４の他の実施例としては、リング１４ａと柱状部２２と隙間部２１とに替えて、図１３に示すように当該部位を全体的に筒状に形成してもよい。この場合は、本体部６１を筒部６２とフランジ部１５とで構成し、筒部６２の上端縁に沿って通水が可能な溝部６３を多数形成して、この溝部６３を通って水を下部に排出させるようにする。更に、溝部６３は下流側（筒部６２の内側）に傾斜して形成することで、水が下方に滞りなく流れることとなる。図１３中の符号６４は、筒部６２の外周面に刻設された螺旋溝を示す。
また、溝部６３に替わって、弁体１７の下面に通水が可能な溝部を多数形成してもよい（図示せず）。要するに、水を下部に排出するための溝、スリット、凹凸、孔、切欠き、あるいは隙間が、筒部６２又は／及び弁体１７の適宜の位置に形成されていればよいのである。
【００１９】
柱状部２２の外側面には、図１から図３に示すように、螺旋溝２３が刻設されている。この螺旋溝２３が、水抜き孔１３の周壁１３ａの螺旋溝と螺合することによって、本体部１４が水抜き孔１３にしっかりと装着される。従って、地下水位が上昇して水抜き孔１３から水が浸入しても、その浮力で本体部１４が浮き上がったりしない。
【００２０】
柱状部２２の上部には延出部２２ａを有し、この延出部２２ａの上端から内側に張り出してフランジ部１５が延設される。
【００２１】
フランジ部１５は、図４に示すように、環状に形成されており、その下側には縁部に沿って止水パッキン２５が配設されている。フランジ部１５の中央部位は開口して円形の流水口２４を成しており、この流水口２４を通って雨水等が下方に流れる。
【００２２】
フランジ部１５の内周縁には、図１から図３に示すように、集水筒１６が連設される。この集水筒１６は、略筒状を呈すると共に、複数のスリット部２６を有する。このスリット部２６は、ゴミ等を引っ掛けて下に流さない役目を果たしており、雨水等はスリット部２６を通って流水口２４に流れる。
【００２３】
弁体１７は、プラスチック等の水に浮遊する材料を用いて、円盤状に形成されており（図５参照）、本体部１４の柱状部２２の上に遊動自在に載置される（図２参照）。そして、地下水位が上昇して水が水抜き孔１３から浸入した時には、水の浮力で弁体１７が浮上して、フランジ部１５と密接するように構成されている（図３参照）。
【００２４】
以上のように構成される第１実施例の止水弁装置１１は、上述のように、地下水位が底部２０よりも上昇して水が水抜き孔１３に浸入した時に、水の浮力で弁体１７が浮上してフランジ部１５と密接する（図３参照）。フランジ部１５は止水パッキン２５でシールされるので、水抜き孔１３から内部へ水が浸入しない。
また、地下水位が底部２０よりも下降した時には、弁体１７が下がって柱状部２２の上に載置されるので、内部の雨水等は水抜き孔１３から外部に排出が可能である（図２参照）。
【実施例２】
【００２５】
次に、図９に第２実施例に係る止水弁装置３１を示す。この第２実施例において、前記第１実施例の止水弁装置１１と同一部分には同一符号を付してその詳細は省略する。
【００２６】
この第２実施例の止水弁装置３１は、フランジ部３２が上方向に沿って縮径するようテーパー状に形成されており、柱状部２２の上部とフランジ部３２とが所定の隙間をもって設けられる。また、フランジ部３２の内側には、止水パッキン３４がリング状に配設されている。
【００２７】
更に、弁体３３の外周縁３３ａは、面取り加工が施されている。このような形状に形成されることによって、流れ落ちるゴミ等が弁体３３やその近傍に引っ掛かりにくいのである。
【実施例３】
【００２８】
次に、図１０及び図１１に第３実施例に係る止水弁装置４１を示す。この第３実施例において、前記第１実施例の止水弁装置１１と同一部分には同一符号を付してその詳細は省略する。
【００２９】
この第３実施例の止水弁装置４１は、ハンドホール１２の水抜き孔１３の周壁１３ａに沿って装着する本体部４２と、本体部４２の上端に沿ったフランジ部４３ａを介して連設される集水筒４４とを、合成樹脂材で一体に形成すると共に、本体部１４の内部に弁体４６を配設して構成される。
【００３０】
本体部４２は、環状のリング４２ｃこのリング４２ｃから上方に向けて周方向に適宜間隔毎に設けられる柱状部４２ａと、柱状部４２ａとその上部に連設される膨出部４２ｂとが、水抜き孔１３ａの周壁１３ａに沿って所定間隔ごとに連続して配設されると共に、それらの間に隙間部４７を有している。この隙間部４７を通って雨水等が下部に排出される。
【００３１】
なお、リング４２ｃと柱状部４２ａとに替えて、当該部位を全体的に筒状に形成してもよい（図示せず）。この場合は、筒状部の上端縁に沿って通水が可能な溝部を多数形成して、この溝部を通って水を下部に排出させるようにする。要するに、筒状部の上端縁に水を下部に排出するための溝、スリット、凹凸、孔、切欠き、あるいは隙間が形成されていればよいのである。
【００３２】
柱状部４２ａの外側面には螺旋溝４８が刻設されている。この螺旋溝４８が、水抜き孔１３の周壁１３ａの螺旋溝と螺合することによって、本体部４２が水抜き孔１３にしっかりと装着される。従って、地下水位が上昇して水抜き孔１３から水が浸入しても、その水の浮力で本体部４２が浮き上がったりしない。
【００３３】
膨出部４２ｂの上部には、図１２に示すように、フランジ部４３ａが設けられている。フランジ部４３ａは、柱状部４２ａの上部から所定の隙間、即ち、膨出部４２ｂの幅をもって設けられる。
【００３４】
フランジ部４３ａ環状に形成されており、の内周縁には、リング状の止水パッキン５０が配設されている。フランジ部４３ａの中央部位は開口して円形の流水口４３を成しており、この流水口４３を通って雨水等が下方に流れる。
【００３５】
フランジ部４３ａの外周縁には、集水筒４４が連設される。この集水筒４４は、略筒状を呈すると共に、複数のスリット部５１を有する。このスリット部５１は、ゴミ等を引っ掛けて下に流さない役目を果たしており、雨水等はスリット部５１を通って流水口４３に流れる。
【００３６】
弁体４６は、プラスチック等の水に浮遊する材料を用いて、球状に形成されており、本体部４２の上端４５に載置される。そして、地下水位が上昇して水が水抜き孔１３から浸入した時には、水の浮力で弁体４６が浮上してフランジ部４３ａと密接する（図１１参照）。
【００３７】
以上のように構成される第３実施例の止水弁装置４１は、上述のように、地下水位が底部２０よりも上昇して水が水抜き孔１３から浸入した時に、水の浮力で弁体４６が浮上しててフランジ部４３ａと密接する（図１１参照）。フランジ部４３ａは、止水パッキン５０でシールされるので、水抜き孔１３から内部へ水が浸入しない。
また、地下水位が底部２０よりも下降した時には、弁体４６が下がって本体部４２の上端４５に載置されるので、内部の雨水等は水抜き孔１３から外部に排出可能である（図１０参照）。
【産業上の利用可能性】
【００３８】
本発明の止水弁装置１１、３１、４１は、ハンドホール１２の水抜き孔１３に装着するものであるが、当該ハンドホール１２は、マンホール、地中線ボックス、コンクリートボックス等の地中に設置するコンクリート製の筺体を含むものであることは勿論である。
【符号の説明】
【００３９】
１    ハンドホール
２    進入口
３    底部
４    凹部
５    継手
６    排水口
６ａ  貫通孔
７    盲栓
１１  止水弁装置
１２  ハンドホール
１３  水抜き孔
１３ａ周壁
１４  本体部
１４ａリング
１５  フランジ部
１６  集水筒
１７  弁体
１８  進入口
１９  ノックアウト部
２０  底部
２０ａ凹部
２１  隙間部
２２  柱状部
２２ａ延出部
２３  螺旋溝
２４  流水口
２５  止水パッキン
２６  スリット部
３１  止水弁装置
３２  フランジ部
３３  弁体
３３ａ外周縁
３４  止水パッキン
４１  止水弁装置
４２  本体部
４２ａ柱状部
４２ｂ膨出部
４２ｃリング
４３  流入口
４３ａ延出部
４４  集水筒
４５  上端
４６  弁体
４７  隙間部
４８  螺旋溝
５０  止水パッキン
５１  スリット部
６１  本体部
６２  筒部
６３  溝部
６４  螺旋溝
【図１】
2010248775.tif 000003
【図２】
2010248775.tif 000004
【図３】
2010248775.tif 000005
【図４】
2010248775.tif 000006
【図５】
2010248775.tif 000007
【図６】
2010248775.tif 000008
【図７】
2010248775.tif 000009
【図８】
2010248775.tif 000010
【図９】
2010248775.tif 000011
【図１０】
2010248775.tif 000012
【図１１】
2010248775.tif 000013
【図１２】
2010248775.tif 000014
【図１３】
2010248775.tif 000015
【図１４】
2010248775.tif 000016
【図１５】
2010248775.tif 000017